(57)【要約】【課題】本発明は、洋式トイレの使用時に踏み台を必要とする幼児のために、必要の際には簡単にしかも瞬時に踏み台としての形を成す折り畳み収納式の踏み台であり、しかも洋式便器前方の床上へ固定設置しても、収納しておけば踏み台を必要としない者の足元を確保でき、トイレ使用に不便を生じる事の無い省スペースで画期的な踏み台を提供する。【解決手段】洋式便器前方床上の空きスペースに踏み板１、前脚３、収納保持脚２、折り畳み収納装置となるリンクとカム機構から構成された幼児用踏み台を固定設置する。収納保持脚２と踏み板１には相互連結と相互作用をもつカム機構を有し、踏み板１には前脚３がリンク機構により折り畳まれ、踏み板１と前脚３は折り畳まれた状態で、左右一対の収納保持脚２の中へ前述のカム機構により角度と高さが自在に収納保持される。【選択図】図１
2005087695.tif 000002
【特許請求の範囲】
【請求項１】
踏み板１、左右一対から成る収納保持脚２、前脚３、カム機構８、９、１０、１１、スライドリンク４、５、四節リンク機構を構成するリンク６、７、を備え、踏み板１はカム機構８，９，１０、１１の働きで湾曲線を描くように引き上げながら手前へ引き出し、それに連動して前脚３は、踏み板１、前脚３、リンク６、７で実質的に構成する四節リンク機構を、スライドリンク４、５で制御する事により、回転支点軸２１により枢着された踏み板１の前脚として開脚する事を特徴とする折り畳み収納式踏み台。
【請求項２】
請求項１に記載した折り畳み収納式踏み台は、踏み板１が収納保持脚２の中に収納される角度と高さを自在に設定する事と、踏み板１の後部を凹形に形成する事によって洋式便器前方の特有の形に合わせた形で踏み台本体の設置と引き出しができることを特徴とする折り畳み収納式踏み台。
【請求項３】
請求項１に記載した折り畳み収納式踏み台は、踏み台１へ回転支点軸２１によって枢着された前脚３の頭頂部を円形とし、円形の頂点で接する踏み板１との接点２７を、回転に支障が無いまで隙間を無くす事と、踏み板１の底部に取り付けた取っ手２２と開脚した時の前脚３との間隔を充分に取る事により、前脚３の開脚時に起こりうる手と指の挟みこみを防止する事を特徴とする折り畳み収納式踏み台。
【発明の詳細な説明】
【技術分野】
【０００１】  本発明は洋式トイレで使用する幼児用の折りたたみ式踏み台である。
【背景技術】
【０００２】  従来洋式トイレに使われる幼児用の踏み台には、折り畳めたり収納できる踏み台は無く、使用しない時でも体積を必要とする箱型や台形の踏み台が一般的に普及していて、そのため踏み台を必要としない大人等のトイレ使用時には、踏み台をトイレ周りから移動したり、トイレ室の外へ搬出することに労力が使われていた。
【発明の開示】
【発明が解決しようとする課題】
【０００３】  現在普及している箱型や台形の踏み台は、便器周りに据え置いたままだと、踏み台を使用しない大人等のトイレ使用が、立ち使用、座り使用共に困難であり、踏み台そのものが邪魔であった。さらに狭いトイレ室の中では移動場所の確保は困難であり、トイレ室の外へ搬出することもあり、幼児や子育て中の親にとっても大変な労力を必要としていた。
【課題を解決するための手段】
【０００４】  本発明は、洋式トイレの幼児用踏み台を折り畳み収納式として洋式便器前方下の床上に固定設置し、踏み板１、収納保持脚２、前脚３、がリンクとカムを利用した連動機構を介して折り畳みと開脚、収納と引き出しがされる。折り畳み収納された状態では、図５の垂直平面形か或いは、図７の様に踏み板１と前脚３の折り畳み部の角度と高さを設定変更する事により、便器に対してより密着した状態に固定設置でき、さらに踏み板１の後方部を洋式便器前方特有の凸形に合わせ凹形の円弧状に切り欠く事で、図７の収納と引き出しの際の便器との重なりを接触する事無く回避し、設置スペースの最小化を実現する。
【発明の効果】
【０００５】  本発明は洋式便器前方下の床上に固定設置する事により、使用時には簡単に引き出され、瞬時に踏み台としての形を整えることができる。使用後は折り畳み収納する事により設置スペースを取らず、狭いトイレ室の中で設置したままでも邪魔にならない、よって従来の踏み台のような使用毎の移動や搬入を必要とせず、踏み台を使用しない者の足元を立ち使用、座り使用共に確保ができ、無理な姿勢での使用でトイレを汚すこと無く、快適なトイレ使用ができるようになる。
【発明を実施するための最良の形態】
【０００６】  折り畳み収納式としての構造は、図１で示すように、踏み板１、収納保持脚２、前脚３、スライドリンク機構４、５、１２、１３、１４、１５、１７、四節リンク機構６、７、１６、１８、１９、カム機構８、９、１０、１１、で構成されている。【０００７】  図３で示す折り畳み収納された状態から、図１で示す踏み台の形態への動きとして、踏み板１前面にある取っ手２２を、踏み台手前上方を通過してその後下降する湾曲線に引き出し、踏み板１を水平とする、この湾曲線の動きは収納保持脚３上部にある支点軸８に踏み板１の側面にあるカム溝１１が従動することと、踏み板１の側面最後方の支点軸９が収納保持脚２にある湾曲なカム溝１０を下から上へ従動する相互同時連動するカム機構によって維持、制御されている。【０００８】  前述の踏み板１から連動する前脚３の開脚動作は、左右一対有る収納保持脚２を、底辺で連結する連結底板２４に回転軸２３で取り付けられたリンク４と、踏み板１底部に回転軸２０により取り付けられたリンク５がカム溝１２と１３を軸内側にそれぞれ有し、リンク４の上端に備えられた支点軸１５がカム溝１３に、リンク５の下端に備えられた支点軸１４がカム溝１２に相互連結することにより、リンク４とリンク５は伸縮自在にスライドする。このスライドリンク４と５は図面１にあるように、踏み板１が引き出された状態では連結底板２４中央部と、踏み板１下端前方中央部の間に斜めに連結されている。このリンク機構はこれ以上の伸びを止める為にストッパー１７をカム溝１３の適正な位置に取り付ける。【０００９】  さらに図１で示すように踏み台１と回転支点軸２１により踏み台１に枢着された前脚３、さらに回転軸１９により踏み台１に枢着されたリンク７と回転支点軸１８により前脚３に枢着されたリンク６は回転連結軸１６により連結することによって、四節リンク機構を形成する。リンク６と７はスライドリンク４、５の左右一対有り、回転連結軸１６の軸芯をカム溝１２と１３に貫通させることで左右が繋がり同じ動きをする。そしてスライドリンク４、６に従動し、四節リンク機構を一定の動きに制御することよって、前脚３を踏み板１の脚として安定した繰り出しをすることができる。一連の動きは踏み板１を引き出すことによりすべて連動して前脚３を開脚し、瞬時に踏み台の形態が完成される。【００１０】  リンク４、５、６、７からなるリンク機構を折りたたみ、踏み台１と前脚３の中に収納するためには、図３で示すように踏み板１の中央部裏側に、リンク機構の幅と厚みを収納するスペースを取り、前脚３の中央部内側でもリンク機構が収納できる幅で材厚の半分まで欠くことにより確保できる。前脚３のリンク機構収納スペースによる欠きこみは、前脚３の頭頂部まで全て欠き、前脚３が開脚したとき、その平坦面がストッパー２５に当たる事によりそれ以上の開脚を止めるストッパー装置を一つの例として開示する。【００１１】  スライドリンク４、６の役割は前述の四節リンク機構の制御の他に、図面１で示す踏み板１と収納保持脚２とスライドリンク４、５で三角形を形成する。この三角形は踏み台１を引き出した時に生じるＡの外力を収納保持脚２全体に伝える働きがあり収納保持脚２と連結底板２４はビス又は両面テープ等で床面に固定されることで水平方向の摩擦抵抗が生じ、踏み台の水平移動を防ぐ。さらに回転連結軸１６の軸芯を図４で示すようにカム溝１２と１３に貫通させることで、四節リンク機構を制御し前脚３を開脚固定し、さらに補助力として前脚３頭頂部平坦面にストッパー２５を設ける事により前脚３の外力Ｄ方向への回転を止める。以上の制御装置を設ける事で本踏み台に働く外力Ａ、Ｂ、Ｃ、Ｄ、Ｅ、全てに反力を生じさせ踏み台全体を健固に支持する。【００１２】  本踏み台を収納折り畳んで全体を垂直平面形にするには、収納保持脚２にある支点軸８と踏み板１の側面最後方にある支点軸９と連結底板２４に取り付けた回転軸２３を垂直一直線上になるように設計配置する。【００１３】  動く際に便器と接触する可能性のある踏み板１の後方部分はカム溝１０によって引き出しと収納を常に湾曲な一定の動きに制御されている。そこで図６で示すように洋式便器前方部の凸形に合わせた凹形に踏み板１の後部を形成すると、図５で示すように、重なり合う部分は接触を回避できるのでより一層踏み台を便器に密着して固定設置できる。踏み板１後部を凹形に欠く大きさは踏み板としての機能を損なわない大きさまでとする【００１４】  図３で示す踏み板１の収納時、支点軸８と回転軸２３の直線上に支点軸９が有る事で踏み板１と前脚３が折り畳まれ１枚の板状となる。この時の角度と高さを設定変更するには、図７で示すように連結底板２４に回転軸２３を枢着したまま収納保持脚２の後方で連結し、踏み板１を水平に引き出した状態で、スライドリンク４と５の伸びにストッパー１７を働かせ、前脚３が踏み板１を台形として支持する位置に来るようにリンク６と７を長さ調整し四節リンク機構を再構成することで可能となる。この場合リンク６と７の連結軸は図２と図７で示すようにリンク７の延長線上２６に来ることになる。
【図面の簡単な説明】
【図１】本発明の折り畳み収納式踏み台の第１の実施形態を示す側面透視図
【図２】本発明の折り畳み収納された状態の正面透視図
【図３】上記形態の側面断面図
【図４】上記形態で折り畳み収納されるリンク展開斜視図
【図５】本発明の実施形態のイメージ図
【図６】踏み板が垂直収納された状態と展開イメージ側面図
【図７】上記形態で踏み板の角度と高さを設定変更した展開イメージ側面図
【符号の説明】
１…踏み板
２…収納保持脚
３…前脚
４，５，６，７…リンク
８，９…支点軸
１０，１１，１２，１３…カム溝
１４，１５…連結軸
１６、２６…回転連結軸
１７…ストッパー
１８，２１…回転支点軸
１９，２０，２３…回転軸
２２…取っ手
２４…連結底板
２７…接点
Ａ，Ｂ，Ｃ，Ｄ，Ｅ…外力
【図１】
2005087695.tif 000003
【図２】
2005087695.tif 000004
【図３】
2005087695.tif 000005
【図４】
2005087695.tif 000006
【図５】
2005087695.tif 000007
【図６】
2005087695.tif 000008
【図７】
2005087695.tif 000009